(57)【特許請求の範囲】
【請求項１】
高さが段付けされた複数の段を備えた型式の入れ子式のスタンドであって、前期複数の段が、段が重ね合わされ同じ垂直面内で収容された格納非使用位置と、段が展開され階段形態に段が形成された使用位置との間で移動でき、各段が、格納位置と展開位置との間で段を移動させるための下部ベースを備えており、
該ベースが、設置面33に当接する移動手段30,30を有す２つの脚部31,31と、２つの対称な側方直立体32,32とによって構成されており、前記脚部31,31と前記直立体32,32が、段の組立体の格納位置における並置状態を可能にするように、互いに側方にオフセットしており、各段が、前記ベースの上に載っている水平シャーシ19を備えており、
前記シャーシ19は、ロッド５の作用を受けて角度的に移動可能な間接接合された一対のＸ字状アーム11,11′を介してケーソン10を支持し、前記シャーシ19に対してケーソン10の高さを調整できる入れ子式のスタンドにおいて、
角度移動を引き起こす前記ロッドの方向と実質的に平行な軸線上に各アーム11,11′が配置されている休止位置から、前記アームの初期持ち上げを確保するための可動装置12を備え、
上記可動装置12は、上記ロッド５の長さ方向に沿って開設されたスロット14を有し、上記ロッド５からの駆動力によりシャーシ19上を前記ロッド５に沿って移動しうる装置本体40と、
上記装置本体40における前記段の中央に対する遠位端部側に一端部が回動可能に軸支されると共に、他端部が一方のアーム11′の前記段の中央に対する遠位側端部又はケーソン10の下面部に当接しうる持ち上げレバー15と、
一端部が上記持ち上げレバー15に回動可能に軸支されると共に他端部が他方のアーム11の前記段の中央に対する遠位側端部に回動可能に軸支された状態で上記スロット14内を摺動しうるように配置された小ロッド16とを有し、
ａ）該可動装置12は、前記アーム11の一方の端部11aに固定され、前記スロット14の２つの終端位置、すなわち、アーム11,11′の実質的に水平な休止位置に対応する前期スロット14の前記段の中央に対する近位端で第１のピンを支持する位置14aと、初期持ち上げ期間の後の前記アーム11,11′の前記ロッド５からの直接駆動位置に対応する前期ピン13の遠位端で前記第１のピンを支持する位置14bとの間を摺動するように取付けられた第１のピン13を有し、
ｂ）前記持ち上げレバー15は、一方の端部が可動装置12にピン21により回動可能な状態に固定され、
ｃ）前記小ロッド16は、前記第１のピン13によって前記一方のアーム11の前記一方の端部11aに回動可能に軸支されており、該小ロッド16は、前記持ち上げレバー15に固定ピン16aを介して回動可能に接合され、その結果、前記小ロッド16の作動による前記アーム11の前記端部11aの段の中央方向への前記可動装置12の直線移動が、前記アーム11の前記端部11aに回動可能に固定された前記小ロッド16の作動によって、持ち上げレバー15の角度変位を引き起こし、次いで、休止位置において、持ち上げレバー15の自由端部15aが、ケーソン10を支持するアーム11′の端部11b側に当接して、前記持ち上げレバー15の角度スラストによってアーム11′が上昇駆動され、前記アーム11,11′の角度上昇を生じさせ、前記ロッド５の作用による可動装置12の段中央方向への水平移動により前記スロット14の遠位端14bへ前記ピン13が移動することにより、前記持ち上げレバー15を介してケーソン10に回動可能に軸支されたアーム11,11′の端部11b,11′ｂは、前記ケーソン10を上昇させることを特徴とするスタンド。
【発明の詳細な説明】
（イ）産業上の利用分野
本発明は、多目的ホールや劇場などに装備されるスタンドに関する。
（ロ）従来の技術
座席付きの又は座席なしの入れ子式スタンドは、スポーツまたは文化的なスタジアムや公会堂において極めて広範に使用されている。かかる入れ子式スタンドは、小さな保管容積から、公衆を収容するためのスタンド或いは展開した水平な床の面として利用することができる。
しかしながら、入れ子式スタンドには、大きな欠点がある。すなわち、入れ子式スタンドは、その外形を変えることはできない。換言すれば、建造時に選定された各段の高さを変えることはできず、段の層の外形は固定されている。
“多用途ホール”と呼ばれる建造物では、段の外形を所望のように変えることが必要である。
地面に収容され、使用位置における段階的な高さに対して垂直方向に自由にされた可動床システムが既に知られており、段の外形を変える要請に応えることができる。しかしながら、地面に技術的なピットを形成することができないときには、地上で移動させることによって水平に展開される入れ子式スタンドの解決策が、唯一の有用な解決策となる。
（ハ）発明が解決しようとする問題点
本発明は、段の層の変動を可能にする、可視性に関連した条件に応えるために、このような入れ子式スタンドの製造および開発の状態を改良することを目的としている。
（二）問題を解決するための手段
この目的を達成するため、本発明にあっては、高さが段付けされた複数の段を備えた型式の入れ子式のスタンドであって、前期複数の段が、段が重ね合わされ同じ垂直面内で収容された格納非使用位置と、段が展開され階段形態に段が形成された使用位置との間で移動でき、各段が、格納位置と展開位置との間で段を移動させるための下部ベースを備えており、該ベースが、設置面33に当接する移動手段30,30を有す２つの脚部31,31と、２つの対称な側方直立体32,32とによって構成されており、前記脚部31,31と前記直立体32,32が、段の組立体の格納位置における並置状態を可能にするように、互いに側方にオフセットしており、各段が、前記ベースの上に載っている水平シャーシ19を備えており、前記シャーシ19は、ロッド５の作用を受けて角度的に移動可能な間接接合された一対のＸ字状アーム11,11′を介してケーソン10を支持し、前記シャーシ19に対してケーソン10の高さを調整できる入れ子式のスタンドにおいて、角度移動を引き起こす前記ロッドの方向と実質的に平行な軸線上に各アーム11,11′が配置されている休止位置から、前記アームの初期持ち上げを確保するための可動装置12を備え、上記可動装置12は、上記ロッド５の長さ方向に沿って開設されたスロット14を有し、上記ロッド５からの駆動力によりシャーシ19上を前記ロッド５に沿って移動しうる装置本体40と、上記装置本体40における前記段の中央に対する遠位端部側に一端部が回動可能に軸支されると共に、他端部が一方のアーム11′の前記段の中央に対する遠位側端部又はケーソン10の下面部に当接しうる持ち上げレバー15と、一端部が上記持ち上げレバー15に回動可能に軸支されると共に他端部が他方のアーム11の前記段の中央に対する遠位側端部に回動可能に軸支された状態で上記スロット14内を摺動しうるように配置された小ロッド16とを有し、該可動装置12は、前記アーム11の一方の端部11aに固定され、前記スロット14の２つの終端位置、すなわち、アーム11,11′の実質的に水平な休止位置に対応する前期スロット14の前記段の中央に対する近位端で第１のピンを支持する位置14aと、初期持ち上げ期間の後の前記アーム11,11′の前記ロッド５からの直接駆動位置に対応する前期ピン13の遠位端で前記第１のピンを支持する位置14bとの間を摺動するように取付けられた第１のピン13を有し、前記持ち上げレバー15は、一方の端部が可動装置12にピン21により回動可能な状態に固定され、前記小ロッド16は、前記第１のピン13によって前記一方のアーム11の前記一方の端部11aに回動可能に軸支されており、該小ロッド16は、前記持ち上げレバー15に固定ピン16aを介して回動可能に接合され、その結果、前記小ロッド16の作動による前記アーム11の前記端部11aの段の中央方向への前記可動装置12の直線移動が、前記アーム11の前記端部11aに回動可能に固定された前記小ロッド16の作動によって、持ち上げレバー15の角度変位を引き起こし、次いで、休止位置において、持ち上げレバー15の自由端部15aが、ケーソン10を支持するアーム11′の端部11b側に当接して、前記持ち上げレバー15の角度スラストによってアーム11′が上昇駆動され、前記アーム11,11′の角度上昇を生じさせ、前記ロッド５の作用による可動装置12の段中央方向への水平移動により前記スロット14の遠位端14bへ前記ピン13が移動することにより、前記持ち上げレバー15を介してケーソン10に回動可能に軸支されたアーム11,11′の端部11b,11′ｂは、前記ケーソン10を上昇させることを特徴とする。
本発明は、添付図面を参照して、本発明によるスタンドの実施例の非限定的な例に関連して記載されている以下の詳細な説明から、より良く理解されるであろう。
（ホ）実施例
第１図〜第９図を参照すると、スタンドは、地上で水平方向に直線的に移動することによって入れ子式に展開されるように形成された複数の段から構成されている。
段は各々、各段について異なる一定高さのところでベース上に載っている水平シャーシ１を有しており、ベースは、車輪30を備えた２つの側方脚部31,31と、２つの直立体32,32とから構成され、２つの側方脚部31,31と直立体32,32は、各段において対称に配置され、段が重ねられ脚部と直立体が並置される共通の保管空間内への段の格納を可能にするようにオフセットしており、この目的のため、段は、直立体32,32の上に出っ張るように配置されている（第４図参照）。
シャーシは、好ましくは、各々、特に端部のところで横材によって接合された長さ方向の梁1a,1bを形成する２つの平行な外形で構成されている（第６図、第7d図参照）。
このような入れ子式スタンドは公知であり、特に米国特許第4,041,655号に記載されている。
固定された変動しない高さに配置された段は各々、後述する床を形成する上昇手段によって高さを変えることができるケーソンを支持している。
各段が独立した上昇手段に配設されているので、ケーソンおよび床の高さを、所望通りに変えることができる。この目的のために、ケーソン２とシャーシ１は、ストラット４と関連して、連結ロッド３を形成するアームのシステムによって連結されており、モータのような公知の手段６によって供給されるスラスト又は引っ張り力によって移動される関節システムを、水平ロッド５とともに形成している。可動ロッド５を駆動状態にするモータの作用により、ケーソン２はシャーシ１に対して垂直方向に移動する。
可動ロッド５を段１に対して上昇させるための機構は特に、仏国特許第74852号および米国特許第5,287,804号に記載されている形式のものである。
本発明によるスタンドは、新規な方法で、地表面から自由にされた入れ子式スタンドの展開および格納と、設備されたホールの各々のタイプの機能に対応しうるように可変な段の層を形成するために、段の高さの調整の可能性とを組み合わせたものである。
第１図は、折り畳んだ状態の入れ子式スタンドを示しており、座席６を支持するケーソン２がシャーシ１の上に載っているのが分かる。第２図は、展開状態であって且つ最大傾斜状態にある入れ子式スタンドを示しており、スタンドは、保管位置の各層に対応しており、すなわち、各ケーソン２がシャーシ１の上に直接載っている。座席６は、非係合位置にある。
第３図は、第２図に対する外形の変化を示している。ケーソン２は、連結ロッド３およびストラット４を介してシャーシ１の上に載っている。
第４図は、折り畳み状態にある入れ子式スタンドの平面図を示しており、第５図は、展開状態にある入れ子式スタンドの平面図を示している。第６図は、２つの異なるケーソン位置（すなわち、点線は低い位置、実線は高い位置）における“ケーソンおよび段”組立体の横断面図である。
第７図は、種々の方向からのシャーシ１を示しており、そのうち第7A図は平面図、第7B図は正面図、第7C図は長さ方向断面図、第7Dは横断面図である。第８図は、種々の方向からの上昇システムを示しており、そのうち第8A図は平面図、第8B図は上昇位置における正面図、第8C図は下降位置における正面図である。
好適には、遠隔制御式のモータ９は、２つの側方ロッド５によって構成されるロッドシステムを駆動し、２つの側方ロッド５は、連結ロッドを形成するアーム３の脚部に作用し、移動させてシャーシ１の上面で回転手段と摺動衝合する。
一端がシャーシのベースのところの固定位置で他端がアームの中央部で関節接合されたストラット４の反作用と組み合わされた、この運動は、上側のケーソンに関節接合された各アームの頂点を垂直上昇させる。かくして、側方ロッド５の運動に応じて、昇降される。
第９図は、シャーシ１、ケーソン２、および座席６の変形例を示している。この変形例では、関節式ボード７に固定された座席６は、座席６を持ち出したり保管したりする回動ボード７、８によって形成される２つの部分に分割された床の形成のため、収納される。
この図では、ケーソン２は、シャーシ１にもたれている低い位置では点線で示され、高い位置では実線で示されており、ボード（７及び８）並びに座席は、座席の格納および折り畳み位置では点線で示され、座席の使用位置における配置の動きが実線で示されている。
第９図では、床として機能するケーソン２は、同じ水平面内を有し、ケーソン２の長さ方向軸線に沿って平行に延びる２つの回動ボード７、８を備えており、これらのボード7,8は、その両方の縁部がケーソン２に接合されており、そして上方に開放して下部位置に固定された座席６を自由にすることができ、ボード7,8の一方７は、座席６を使用位置に持ち上げた状態で垂直位置にとどまるようになっており、ボードの他方８は、段の踏み床を構成する水平位置に戻されるようになっている。
第10図〜第13図に示した実施例では、本発明によるスタンドを構成する段が示されており、ケーソン10が、略中央部で共通の接合部で組み立てられ変形可能なＸを形成する２つのアーム11、11′によって構成される公知の型式の上昇システムに取付けられている。
この組立体は、段のシャーシに対応するシャーシ19の上に載っている。上昇組立体は、第10図では下側格納位置が示されており、第11図および第12図では上昇移動中における常時平行を保持するケーソン10の連続部分が示されている。ケーソンの移動は、それ自体公知の方法であるＸ形態の２つのアーム11、11′の角度運動によって得られる。
第10図〜第13図は、１組のＸ形態の２つのアーム11,11′を示す上昇装置の側面図であり、多くの場合、ケーソン10は、少なくとも２組の２つのアーム11,11′の上に載っており、その結果、ボード7,8の側面は、180゜反対側では第10図および第11図は同一であり（鏡像関係にある）、初期持ち上げを操作し補助するための装置がＸ形態の２つのアームの反対側に示されることになる。
図示されているように、アーム11′は、一方の端部11′ａが、シャーシ19に対して固定されているピン18で接合されている。アーム11′の他方の端部11′ｂは、ローラなどのような回転手段を介してケーソン10を支持している。
アーム11′と対称であるアーム11は、一方の端部11aが、２つのアーム11、11′を含む平面と平行な軸線に沿って移動できる可動装置12に固定されている。可動装置12は、シャーシ19の上に載っており、ローラベアリング、スライダなどのような移動を容易にする手段を介してシャーシ19に対して移動する。
可動システムは、第8A図および第8B図に示されているような適当な機械的手段と取り換えることができる。すなわち、第8A図および第8B図には、モータ９によって駆動回転されるネジ9aが設けられ、このネジ9aにナット9bが取付けられている。そして、ネジ9aが回転するとナット9bが移動し、可動装置12に作用している側方ロッド５を駆動させる。この場合、２組のＸ形態のアーム11,11′の間の中間位置に配置され、ベースと平行にベースから僅かな距離のところでネジを回転させる１つのモータ９が、２組のＸ形態のアーム11,11′の各々と関連した２つの可動装置12,12に作用することを可能にする。
アーム11,11′の他方の端部11bは、ケーソン10の固定ピンに回動可能に取付けられている。このようにして、可動装置の矢印Ｆの方向への移動が引き起こされ、２つのアームが鋏運動をし、アーム11′の端部11′ｂがケーソン10の下で移動し、これと同時に、アーム11の端部11aがシャーシ19の上を移動する。
最初の移動から効率的に機能するために、このシステムは、２つのアーム11,11′が第10図に示されるように互いに略平行であって且つシャーシ19の平面と平行であるような位置まで２つのアーム11、11′を下降させるのを回避することを仮定している。かかる位置では、アーム11,11′は最早、可動装置12に矢印Ｆの方向に及ぼされる求心引っ張り力によっては直接移動されず、２つのアーム11,11′は、可動装置12のスラストが及ぼされる平面内に略位置する中央接合体によって互いに当接している。このようにして、アーム11に沿って可動装置12および２つのアーム11,11′を一緒に接合しているピン22に及ぽされる力、すなわち、この傾斜力の垂直成分は、２つのアームを移動させるには、その水平成分に対して小さすぎる。
かくして、Ｘ形態のアーム11,11′によって操作されるケーソン10を上昇させるためのこのシステムの開発は、コンパクトな休止位置すなわち最小高さで組立体に課されるその必要性に応じて存続する。
しかしながら、本発明による持ち上げ可能なケーソン10をもつ入れ子式スタンドへの適用では、ケーソン10によって形成された組立体およびその操作機構を、非使用期間は段組立体を収納し保管する最小の空間条件の下で収容することができるのが望ましい。
本発明は、高さを変え、ケーソン10のコンパクトな休止位置、すなわちシャーシ1,19の平面に密接した略同一平面での２つのアーム11,11′の位置決めを得ることができ、これにより、最小空間条件を有する、すなわち“エクストラ・フラット”型の座席付きケーソンを備えた段の製造を可能にすることを目的としている。
この目的のため、本発明によれば、シャーシ19に対してケーソン10を上昇させる機構は、アーム11、11′の初期持ち上げを補助し、したがって、上述の妨害状態を回避するための装置を備えている。
持ち上げを補助するためのこの装置は、回動ピン21によって可動装置12に回動可能に取付けられた持ち上げレバー15によって形成されている。持ち上げレバー15の回動ピン21と反対側の自由端部15aは、ケーシング10の下側、或いは、ローラを介してケーソン10を支持しているアーム11′の端部11′ｂの外側に固定された支持プレート17に載っており、支持プレート17の下またはケーソンの下での自由端部15aの移動を容易にするために、端部15aにローラ23を設けるのが好都合である。
第13図は、アーム11′に固定された支持プレート17へのローラ23によるレバー15の端部の支持を示しており、第11図および第12図では、支持はローラ23によってケーソン10に対して直接行われている。
本発明によれば、可動装置にアームの端部11aを取付ける第一のピン13は、それ自体、システム12に設けられた案内手段内をシャーシ19の平面と平行な方向に移動できる。
好適には、図示されているように、これらの案内手段は、互いに平行に且つアーム11,11′の移動面に平行に設けられた２つのスロット14によって構成されている。システム12の２つの側面に位置合わせされ対称に配置された２つのスロット14,14は各々、第一のピン13の２つの端部の一方を受け入れる。このようにして第一のピン13は、スロット14の２つの終端、すなわち、段組立体に対する近位端14aと反対側の遠位端14bの間で可動装置12を移動させる。
第一のピン13は更に、小ロッド16の接合支持体を支持する。小ロッド16の反対側の端部は、16aのところでレバー15の略下方３分の１のところに回動可能に接合されており、すなわち、固定ピン16aは、支持プレート17で支持されている反対側の端部15aまたはケーソン10の下面よりも、可動装置に接合されたレバー15の端部に近接している。
持ち上げを補助するための装置12は、次のように作動する。ケーソンを上昇させるための開始運動は、矢印Ｆの方へなされる可動装置12の初期移動を引き起こす小ロッド16の作用によって行われる。すなわち、第一のピン13は、スロット14の、可動装置12の内方端部14aへ移動し、その結果、可動装置12の移動は、ピン13、したがってアーム11に直接作用しない。
一方、可動装置12のかかる初期移動は、レバー15の摺動しない回動ピン21を図中、矢印Ｆの方向へ移動させるが、小ロッド16上のレバーの固定ピン16aは、略一定の支持箇所にとどまっており、小ロッド16のベースは、ピン13に当接している。
中央すなわち矢印Ｆの方向への可動装置12の接近は、一方では、スロット14内でのピン13の摺動（即ち、ピン13は一定の箇所にとどまっており、スロット14が可動装置12とともに移動する）によって、他方では、レバー15の基部を支持しているピン21の可動装置12の中央の方への接近によって、達成される。
かくして、レバー15の組立体は、回動ピン16aによって構成される支持点を中心として傾斜され、レバー15の端部15aは、角度的に移動し、支持プレート17またはケーソン10の下面に当接し、これにより、第一のピン13によるアーム11の基部11aの直接的な、シャーシ19の内方への引っ張りを可能にする。
これは、またはスロット14内での位置14bを得るのに十分な程の角度位置が得られるまで、アーム11′の端部11′ｂの上方移動と２つのアーム11,11′の初期持ち上げを同時に確保する。ピン13のこの終端位置において、可動装置12の引き続く移動がピン13に直接作用し、アーム11,11′は移動し続け、初期の水平阻止位置を超過する。
図面の簡単な説明
第１図は、折り畳み位置すなわち保管位置にあるスタンドの断面図である。第２図は、（例えばホッケー用の傾斜となる）最大傾斜を示す展開位置にあるスタンドおよび座席の断面図である。第３図は、（例えばバスケットボールの傾斜となる）第２図に対して修正した傾斜を示す展開位置にあるスタンドおよび座席の断面図である。第４図は、折り畳み位置にある入れ子式スタンドの平面図である。第５図は、展開位置にある入れ子式スタンドの平面図である。第６図は、可動床の２つの位置、座席の支持体を示す、段の横断面図である。第7A図は、入れ子式段のシャーシの平面図である。第7B図は、入れ子式段のシャーシの正面図である。第7C図は、入れ子式段のシャーシの長さ方向断面図である。第7D図は、入れ子式段のシャーシの横断面図である。第8A図は、入れ子式段のシャーシに当接する、可動床を上昇させるための組立体の平面図である。第8B図は、上昇位置における、可動床を上昇させるための組立体の長さ方向断面図である。第8C図は、下降位置における、可動床を上昇させるための組立体の長さ方向断面図である。第９図は、座席を格納するためのケーソンを備えた可動床を備えた段の横断面図である。第10図は、準備状態にある、休止位置の初期リフト装置の図である。第11図は、作動位置にあるリフト装置の図である。第12図は、上昇位置にある、段を備えた持ち上げ装置図である。第13図は、持ち上げ装置の詳細図である。
１  シャーシ
２  ケーソン
３  連結ロッド
４  ストラット
５  側方ロッド
６  座席
７  回動ボード
８  回動ボード
９  モータ
9a  ネジ
9b  ナット
10  ケーソン
11  アーム
12  可動装置
13  第一のピン
14  スロット
14a  位置
14b  位置
15  持ち上げレバー
15a  自由端部
16  小ロッド
16a  固定ピン
17  支持プレート
18  ピン
19  シャーシ
21  回動ピン
22  ピン
23  ローラ
30  移動手段（車輪）
31  脚部
32  側方直立体
33  設置面
【図１】
0003544663.tif 000002
【図４】
0003544663.tif 000003
【図７Ｄ】
0003544663.tif 000004
【図２】
0003544663.tif 000005
【図７Ｂ】
0003544663.tif 000006
【図３】
0003544663.tif 000007
【図７Ｃ】
0003544663.tif 000008
【図５】
0003544663.tif 000009
【図６】
0003544663.tif 000010
【図７Ａ】
0003544663.tif 000011
【図８Ａ】
0003544663.tif 000012
【図８Ｂ】
0003544663.tif 000013
【図８Ｃ】
0003544663.tif 000014
【図９】
0003544663.tif 000015
【図１０】
0003544663.tif 000016
【図１１】
0003544663.tif 000017
【図１２】
0003544663.tif 000018
【図１３】
0003544663.tif 000019